(57)【要約】【課題】ユーザーの希望する給紙元と異なる給紙元からの給紙を抑制し、印字処理を適切に実行する。【解決手段】画像形成システムは、画像形成装置と、画像形成装置にネットワークを介して接続される端末装置と、を備え、画像形成装置は、印字指示の入力を受け付ける入力部を有する装置本体と、装置本体に収容される給紙カセットと、装置本体の外面に取り付けられる開閉可能な手差しトレイと、手差しトレイの開閉を検知可能な開閉検知部と、給紙カセット又は手差しトレイを給紙元に設定する給紙設定部と、を備え、手差しトレイが開放されていることを開閉検知部が検知し、且つ、入力部に印字指示が入力された場合に、給紙設定部の設定に関わらず、手差しトレイから給紙する。【選択図】図５
2020175571.tif 000002
【特許請求の範囲】
【請求項１】
画像形成装置と、
前記画像形成装置にネットワークを介して接続される端末装置と、を備え、
前記画像形成装置は、
印字指示の入力を受け付ける入力部を有する装置本体と、
前記装置本体に収容される給紙カセットと、
前記装置本体の外面に取り付けられる開閉可能な手差しトレイと、
前記手差しトレイの開閉を検知可能な開閉検知部と、
前記給紙カセット又は前記手差しトレイを給紙元に設定する給紙設定部と、を備え、
前記手差しトレイが開放されていることを前記開閉検知部が検知し、且つ、前記入力部に印字指示が入力された場合に、前記給紙設定部の設定に関わらず、前記手差しトレイから給紙することを特徴とする画像形成システム。
【請求項２】
前記端末装置は、印字指示の入力を受け付ける入力機器を備え、
前記手差しトレイが開放されていることを前記開閉検知部が検知し、且つ、前記入力機器に印字指示が入力された場合に、前記給紙設定部の設定に関わらず、前記給紙カセットから給紙することを特徴とする請求項１に記載の画像形成システム。
【請求項３】
前記端末装置は、印字指示の入力を受け付ける入力機器を備え、
前記手差しトレイが開放されていることを前記開閉検知部が検知し、且つ、前記入力機器に印字指示が入力された場合に、前記給紙設定部の設定に応じて、前記給紙カセット又は前記手差しトレイから給紙することを特徴とする請求項１に記載の画像形成システム。
【請求項４】
前記手差しトレイが閉止されていることを前記開閉検知部が検知した場合に、前記給紙設定部の設定に関わらず、前記給紙カセットから給紙することを特徴とする請求項１〜３のいずれか１項に記載の画像形成システム。
【請求項５】
前記手差しトレイが閉止されていることを前記開閉検知部が検知し、且つ、前記給紙設定部が前記給紙カセットを給紙元に設定している場合に、前記給紙カセットから給紙し、
前記手差しトレイが閉止されていることを前記開閉検知部が検知し、且つ、前記給紙設定部が前記手差しトレイを給紙元に設定している場合に、給紙を実行しないことを特徴とする請求項１〜３のいずれか１項に記載の画像形成システム。
【請求項６】
前記装置本体は、印字指示の入力画面を表示する表示部を更に備え、
前記表示部は、前記手差しトレイが開放されていることを前記開閉検知部が検知した場合に、前記手差しトレイが開放されていることを通知する通知画面を表示することを特徴とする請求項１〜５のいずれか１項に記載の画像形成システム。
【請求項７】
前記表示部は、前記通知画面において、前記給紙カセットから給紙する場合には前記手差しトレイを閉止するように促すことを特徴とする請求項６に記載の画像形成システム。
【請求項８】
印字指示の入力を受け付ける入力部を有する装置本体と、
前記装置本体に収容される給紙カセットと、
前記装置本体の外面に取り付けられる開閉可能な手差しトレイと、
前記手差しトレイの開閉を検知可能な開閉検知部と、
前記給紙カセット又は前記手差しトレイを給紙元に設定する給紙設定部と、を備え、
前記手差しトレイが開放されていることを前記開閉検知部が検知し、且つ、前記入力部に印字指示が入力された場合に、前記給紙設定部の設定に関わらず、前記手差しトレイから給紙することを特徴とする画像形成装置。
【発明の詳細な説明】
【技術分野】
【０００１】
本発明は、画像形成システム及び画像形成装置に関する。
【背景技術】
【０００２】
従来、画像形成装置は、画像形成部への給紙元として、給紙カセットと手差しトレイを備えている（特許文献１参照）。例えば、給紙カセットには普通紙（例えば、Ａ４サイズやＡ５サイズの用紙）が多数セットされ、手差しトレイには特殊紙（例えば、はがき）が少数セットされる。これにより、様々なサイズや厚さの用紙に対して、容易に印字処理を実行することが可能となる。
【先行技術文献】
【特許文献】
【０００３】
【特許文献１】特開平５−１６２８７１号公報
【発明の概要】
【発明が解決しようとする課題】
【０００４】
上記のような画像形成装置において、開閉可能な手差しトレイから給紙する場合には、手差しトレイを開放して手差しトレイに用紙をセットした上で、給紙カセットから手差しトレイに給紙元の設定を変更する必要がある。しかしながら、ユーザーがこのような設定の変更を適切に実行しなかったり、設定の変更を忘れてしまったりすると、手差しトレイから給紙するつもりで、給紙カセットが給紙元に設定されたままでユーザーが印字指示を入力してしまう可能性がある。このような事態が発生すると、ユーザーが手差しトレイからの給紙を希望しているにも関わらず、給紙カセットから給紙されてしまい、印字処理を適切に実行することができない恐れがある。
【０００５】
そこで、本発明は、ユーザーの希望する給紙元と異なる給紙元からの給紙を抑制し、印字処理を適切に実行することを目的とする。
【課題を解決するための手段】
【０００６】
画像形成システムは、画像形成装置と、前記画像形成装置にネットワークを介して接続される端末装置と、を備え、前記画像形成装置は、印字指示の入力を受け付ける入力部を有する装置本体と、前記装置本体に収容される給紙カセットと、前記装置本体の外面に取り付けられる開閉可能な手差しトレイと、前記手差しトレイの開閉を検知可能な開閉検知部と、前記給紙カセット又は前記手差しトレイを給紙元に設定する給紙設定部と、を備え、前記手差しトレイが開放されていることを前記開閉検知部が検知し、且つ、前記入力部に印字指示が入力された場合に、前記給紙設定部の設定に関わらず、前記手差しトレイから給紙することを特徴とする。
【０００７】
前記端末装置は、印字指示の入力を受け付ける入力機器を備え、前記手差しトレイが開放されていることを前記開閉検知部が検知し、且つ、前記入力機器に印字指示が入力された場合に、前記給紙設定部の設定に関わらず、前記給紙カセットから給紙しても良い。
【０００８】
前記端末装置は、印字指示の入力を受け付ける入力機器を備え、前記手差しトレイが開放されていることを前記開閉検知部が検知し、且つ、前記入力機器に印字指示が入力された場合に、前記給紙設定部の設定に応じて、前記給紙カセット又は前記手差しトレイから給紙しても良い。
【０００９】
前記手差しトレイが閉止されていることを前記開閉検知部が検知した場合に、前記給紙設定部の設定に関わらず、前記給紙カセットから給紙しても良い。
【００１０】
前記手差しトレイが閉止されていることを前記開閉検知部が検知し、且つ、前記給紙設定部が前記給紙カセットを給紙元に設定している場合に、前記給紙カセットから給紙し、前記手差しトレイが閉止されていることを前記開閉検知部が検知し、且つ、前記給紙設定部が前記手差しトレイを給紙元に設定している場合に、給紙を実行しなくても良い。
【００１１】
前記装置本体は、印字指示の入力画面を表示する表示部を更に備え、前記表示部は、前記手差しトレイが開放されていることを前記開閉検知部が検知した場合に、前記手差しトレイが開放されていることを通知する通知画面を表示しても良い。
【００１２】
前記表示部は、前記通知画面において、前記給紙カセットから給紙する場合には前記手差しトレイを閉止するように促しても良い。
【００１３】
画像形成装置は、印字指示の入力を受け付ける入力部を有する装置本体と、前記装置本体に収容される給紙カセットと、前記装置本体の外面に取り付けられる開閉可能な手差しトレイと、前記手差しトレイの開閉を検知可能な開閉検知部と、前記給紙カセット又は前記手差しトレイを給紙元に設定する給紙設定部と、を備え、前記手差しトレイが開放されていることを前記開閉検知部が検知し、且つ、前記入力部に印字指示が入力された場合に、前記給紙設定部の設定に関わらず、前記手差しトレイから給紙しても良い。
【発明の効果】
【００１４】
本発明によれば、ユーザーの希望する給紙元と異なる給紙元からの給紙を抑制し、印字処理を適切に実行することができる。
【図面の簡単な説明】
【００１５】
【図１】本発明の一実施形態に係る画像形成システムを示す斜視図である。
【図２】本発明の一実施形態に係る画像形成装置を示す側面図である。
【図３】本発明の一実施形態に係る手差しトレイ及び開閉センサーを示す斜視図である。
【図４】本発明の一実施形態に係る画像形成システムの電気的な構成を示すブロック図である。
【図５】本発明の一実施形態に係る画像形成システムにおいて、給紙制御の第１実施例を示すフロー図である。
【図６】本発明の一実施形態に係る画像形成システムにおいて、給紙制御の第２実施例を示すフロー図である。
【図７】本発明の一実施形態に係る画像形成システムにおいて、給紙制御の第３実施例を示すフロー図である。
【図８】本発明の一実施形態に係る画像形成システムにおいて、表示部に表示される通知画面の一例を示す図である。
【発明を実施するための形態】
【００１６】
以下、図面を参照しつつ、本発明の一実施形態に係る画像形成システム１について説明する。図１を参照して、画像形成システム１は、画像形成装置２と、画像形成装置２にネットワークＮを介して接続される端末装置３と、を備えている。
【００１７】
まず、画像形成システム１の画像形成装置２の構成について説明する。以下、説明の便宜上、図１における紙面手前側を画像形成装置２の前側と定義する。図１〜図３に付される矢印Ｆｒ、Ｒｒ、Ｌ、Ｒ、Ｕ、Ｌｏは、それぞれ、画像形成装置２の前側、後側、左側、右側、上側、下側を示している。以下、「上流」、「中流」又は「下流」と記載する場合には、画像形成装置２内の用紙Ｓの搬送方向における「上流」、「中流」又は「下流」を示す。
【００１８】
図１、図２を参照して、画像形成装置２は、例えば、電子写真方式のカラープリンターである。画像形成装置２は、装置本体５と、給紙カセット６と、手差しトレイ７と、開閉センサー８（開閉検知部の一例）と、を備えている。なお、開閉センサー８は、図２では図示が省略されている。以下、画像形成装置２の構成要素について順番に説明する。
【００１９】
まず、画像形成装置２の装置本体５について説明する。
【００２０】
図１を参照して、装置本体５の上面には、排紙トレイ１０が設けられている。装置本体５の上面には、排紙トレイ１０よりも右方に、入力部１１と表示部１２が設けられている。入力部１１は、例えば、メニューキー、矢印キー、実行キー等の各種操作キーによって構成されている。表示部１２は、例えば、液晶ディスプレイによって構成されている。装置本体５の前面（外面の一例）の右側部には、ＵＳＢポート１３が設けられている。
【００２１】
図２を参照して、装置本体５の中央部には、中間転写ベルト１５が設けられている。装置本体５の中央部には、中間転写ベルト１５の下方に、４個の画像形成部１６が設けられている。装置本体５の中央部には、各画像形成部１６の下方に、露光装置１７が設けられている。
【００２２】
装置本体５の後部には、下方から上方に向かってメイン搬送路１９が設けられている。メイン搬送路１９の上流端部には、第１給紙ユニット２０が設けられている。メイン搬送路１９の中流部には、二次転写部２１が設けられている。メイン搬送路１９の下流部には、定着装置２２が設けられている。メイン搬送路１９の下流端部には、排紙ユニット２３が設けられている。
【００２３】
装置本体５の下部には、前方から後方に向かってサブ搬送路２４が設けられている。サブ搬送路２４の上流端部には、第２給紙ユニット２５が設けられている。サブ搬送路２４の下流端部は、第１給紙ユニット２０よりも下流側且つ二次転写部２１よりも上流側で、メイン搬送路１９に接続されている。
【００２４】
次に、画像形成装置２の給紙カセット６について説明する。
【００２５】
図１、図２を参照して、給紙カセット６は、装置本体５の下端部に収容されている。給紙カセット６は、用紙Ｓを収容している。給紙カセット６は、装置本体５に挿入された位置（図２の実線参照）と、装置本体５から引き出された位置（図２の二点鎖線参照）と、の間で、装置本体５に対して前後方向に移動可能に設けられている。つまり、給紙カセット６は、装置本体５に引き出し可能に挿入されている。
【００２６】
次に、画像形成装置２の手差しトレイ７について説明する。
【００２７】
図１、図２を参照して、手差しトレイ７は、装置本体５の前面（外面の一例）に取り付けられている。手差しトレイ７は、給紙カセット６よりも上方に配置されている。
【００２８】
図２、図３を参照して、手差しトレイ７の下部には、支点部２７が設けられている。支点部２７は、装置本体５に設けられた係合部（図示せず）に回転可能に係合している。これにより、手差しトレイ７は、装置本体５に対して開放された位置（図２、図３の実線参照）と、装置本体５に対して閉止された位置（図２、図３の二点鎖線参照）と、の間で、装置本体５に対して支点部２７を中心に回転可能に設けられている。つまり、手差しトレイ７は、装置本体５に対して開閉可能に設けられている。手差しトレイ７の下端部には、支点部２７よりも下方に、押圧部２８が設けられている。
【００２９】
手差しトレイ７の内面には、用紙Ｓを載置するための載置面２９が設けられている。手差しトレイ７が装置本体５に対して開放されている状態（図２、図３の実線参照）では、載置面２９が上方を向いており、載置面２９に用紙Ｓを載置することができる。一方で、手差しトレイ７が装置本体５に対して閉止されている状態（図２、図３の二点鎖線参照）では、載置面２９が後方を向いており、載置面２９に用紙Ｓを載置することができない。
【００３０】
次に、画像形成装置２の開閉センサー８について説明する。
【００３１】
図３を参照して、開閉センサー８は、例えば、接触式のセンサーである。開閉センサー８は、センサー本体３１と、センサー本体３１の前方に設けられる弾性片３２と、を備えている。センサー本体３１の前面には、スイッチ３３が設けられている。弾性片３２の上端部は、センサー本体３１の前面に固定されており、弾性片３２の下端部は、いずれの部材にも固定されていない。そのため、弾性片３２は、上端部を支点に弾性変形可能に設けられている。
【００３２】
図３に実線で示されるように、手差しトレイ７が装置本体５に対して開放されると、手差しトレイ７の押圧部２８が弾性片３２を押圧することで、弾性片３２が後側に弾性変形する。そのため、弾性片３２がスイッチ３３を押圧して、開閉センサー８がＯＮになる。これに伴って、手差しトレイ７が装置本体５に対して開放されていることを開閉センサー８が検知する。一方で、図３に二点鎖線で示されるように、手差しトレイ７が装置本体５に対して閉止されると、手差しトレイ７の押圧部２８による弾性片３２に対する押圧が解除されることで、弾性片３２が前側に弾性復帰する。そのため、弾性片３２によるスイッチ３３に対する押圧が解除されて、開閉センサー８がＯＦＦになる。これに伴って、手差しトレイ７が装置本体５に対して閉止されていることを開閉センサー８が検知する。このように、開閉センサー８は、手差しトレイ７の開閉を検知可能に設けられている。
【００３３】
次に、画像形成システム１の端末装置３の構成について説明する。
【００３４】
図１を参照して、端末装置３は、例えば、パーソナルコンピューターである。端末装置３は、主機器３５と、入力機器３６と、表示機器３７と、を備えている。入力機器３６は、例えば、キーボード３８とマウス３９を備えている。表示機器３７は、例えば、液晶ディスプレイによって構成されている。
【００３５】
次に、画像形成システム１の電気的構成について説明する。
【００３６】
図４を参照して、画像形成システム１の画像形成装置２は、制御部４１を備えている。制御部４１は、例えば、ＣＰＵ（Central  Processing  Unit）によって構成されている。制御部４１は、給紙設定部４２を有する。給紙設定部４２は、給紙カセット６又は手差しトレイ７を給紙元に設定する。
【００３７】
制御部４１は、各画像形成部１６に接続されている。各画像形成部１６は、制御部４１からの信号に基づいて、トナー像を形成する。制御部４１は、第１給紙ユニット２０に接続されている。第１給紙ユニット２０は、制御部４１からの信号に基づいて、給紙カセット６からメイン搬送路１９に用紙Ｓを送り出す。つまり、制御部４１は、第１給紙ユニット２０に給紙カセット６からの給紙を実行させる。制御部４１は、第２給紙ユニット２５に接続されている。第２給紙ユニット２５は、制御部４１からの信号に基づいて、手差しトレイ７からサブ搬送路２４に用紙Ｓを送り出す。つまり、制御部４１は、第２給紙ユニット２５に手差しトレイ７からの給紙を実行させる。
【００３８】
制御部４１は、開閉センサー８に接続されている。開閉センサー８は、手差しトレイ７の開閉を検知し、検知結果を制御部４１に送信する。
【００３９】
制御部４１は、入力部１１及び表示部１２に接続されている。入力部１１は、ユーザーによる印字指示の入力を受け付けて、入力結果を制御部４１に送信する。入力部１１は、ユーザーによる給紙元の選択を受け付けて、選択結果を制御部４１に送信する。表示部１２は、制御部４１からの信号に基づいて、印字指示の入力画面や給紙元の選択画面を表示する。
【００４０】
制御部４１は、記憶部４５に接続されている。記憶部４５は、例えば、ＲＡＭ（Random  Access  Memory）やＲＯＭ（Read  Only  Memory）によって構成されている。制御部４１は、記憶部４５に記憶された制御プログラムに基づいて、画像形成装置２の各部を制御する。
【００４１】
制御部４１は、通信部４６に接続されている。通信部４６は、例えば、ＷＡＮ(Wide  Area  Network)やＬＡＮ（Local  Area  Network）等のネットワークＮを介して、端末装置３の主機器３５と通信を行う。
【００４２】
図４を参照して、画像形成システム１の端末装置３の主機器３５は、制御装置４８を備えている。制御装置４８は、例えば、ＣＰＵ（Central  Processing  Unit）によって構成されている。制御装置４８は、入力機器３６及び表示機器３７に接続されている。入力機器３６は、ユーザーによる印字指示の入力を受け付けて、入力結果を制御装置４８に送信する。入力機器３６は、ユーザーによる給紙元の選択を受け付けて、選択結果を制御装置４８に送信する。表示機器３７は、制御装置４８からの信号に基づいて、印字指示の入力画面や給紙元の選択画面を表示する。
【００４３】
次に、ユーザーによる印字指示の入力について説明する。
【００４４】
ユーザーが画像形成装置２の入力部１１に印字指示を入力する場合、例えば、ユーザーは、ＵＳＢポート１３にＵＳＢメモリー（図示せず）を差し込んで、ＵＳＢメモリーを画像形成装置２に接続する。次に、ユーザーは、画像形成装置２の入力部１１を操作して、ＵＳＢメモリー内のファイルの選択や給紙元の選択等の各種選択を行う。次に、ユーザーは、画像形成装置２の入力部１１を操作して、画像形成装置２の表示部１２に印字指示の入力画面を表示させる。次に、ユーザーは、画像形成装置２の表示部１２に表示された印字指示の入力画面を確認しながら、ＵＳＢメモリー内のファイルの印字指示を画像形成装置２の入力部１１に入力する。
【００４５】
一方で、ユーザーが端末装置３の入力機器３６に印字指示を入力する場合、例えば、ユーザーは、端末装置３の入力機器３６を操作して、主機器３５内のファイルの選択や給紙元の選択等の各種選択を行う。次に、ユーザーは、端末装置３の入力機器３６を操作して、端末装置３の表示機器３７に印字指示の入力画面を表示させる。次に、ユーザーは、端末装置３の表示機器３７に表示された印字指示の入力画面を確認しながら、主機器３５内のファイルの印字指示を端末装置３の入力機器３６に入力する。
【００４６】
次に、画像形成システム１による印字処理について説明する。
【００４７】
上記のようにユーザーによって画像形成装置２の入力部１１又は端末装置３の入力機器３６に印字指示が入力されると、露光装置１７によって形成された静電潜像に基づいて、各画像形成部１６がトナー像を形成する。このトナー像は、各画像形成部１６から中間転写ベルト１５に一次転写される。
【００４８】
また、上記のようにユーザーによって画像形成装置２の入力部１１又は端末装置３の入力機器３６に印字指示が入力されると、第１給紙ユニット２０が給紙カセット６からメイン搬送路１９に用紙Ｓを送り出すか、又は、第２給紙ユニット２５が手差しトレイ７からサブ搬送路２４に用紙Ｓを送り出す。第２給紙ユニット２５によってサブ搬送路２４に送り出された用紙Ｓは、サブ搬送路２４を下流側へと搬送されて、メイン搬送路１９に送り出される。
【００４９】
このようにしてメイン搬送路１９に送り出された用紙Ｓは、メイン搬送路１９を下流側へと搬送されて、中間転写ベルト１５と二次転写部２１のニップ領域に進入する。二次転写部２１は、中間転写ベルト１５に一次転写されたトナー像を用紙Ｓに二次転写する。トナー像を二次転写された用紙Ｓは、メイン搬送路１９を更に下流側へと搬送されて、定着装置２２に進入する。定着装置２２は、用紙Ｓにトナー像を定着させる。トナー像が定着された用紙Ｓは、メイン搬送路１９を更に下流側へと搬送されて、排紙ユニット２３によって排紙トレイ１０上に排出される。
【００５０】
次に、給紙カセット６又は手差しトレイ７から給紙するための制御（以下、「給紙制御」と称する）の第１〜第３実施例について説明する。
【００５１】
＜給紙制御の第１実施例＞
まず、図５を参照して、給紙制御の第１実施例について説明する。
【００５２】
画像形成装置２の入力部１１又は端末装置３の入力機器３６に印字指示が入力されると（ステップＳ１０１）、制御部４１は、手差しトレイ７が開放されていることを開閉センサー８が検知しているか否かを判定する（ステップＳ１０２）。
【００５３】
ステップＳ１０２の判定がＮｏの場合（手差しトレイ７が閉止されていることを開閉センサー８が検知している場合）には、制御部４１は、給紙設定部４２の設定に関わらず、第１給紙ユニット２０に給紙カセット６からの給紙を実行させる（ステップＳ１０３）。これにより、給紙制御の第１実施例が終了する。
【００５４】
一方で、ステップＳ１０２の判定がＹｅｓの場合（手差しトレイ７が開放されていることを開閉センサー８が検知している場合）には、制御部４１は、ステップＳ１０１において画像形成装置２の入力部１１に印字指示が入力されたか否かを判定する（ステップＳ１０４）。
【００５５】
ステップＳ１０４の判定がＹｅｓの場合（ステップＳ１０１において画像形成装置２の入力部１１に印字指示が入力された場合）には、制御部４１は、給紙設定部４２の設定に関わらず、第２給紙ユニット２５に手差しトレイ７からの給紙を実行させる（ステップＳ１０５）。これにより、給紙制御の第１実施例が終了する。
【００５６】
一方で、ステップＳ１０４の判定がＮｏの場合（ステップＳ１０１において端末装置３の入力機器３６に印字指示が入力された場合）には、制御部４１は、給紙設定部４２の設定に関わらず、第１給紙ユニット２０に給紙カセット６からの給紙を実行させる（ステップＳ１０３）。これにより、給紙制御の第１実施例が終了する。
【００５７】
＜給紙制御の第２実施例＞
次に、図６を参照して、給紙制御の第２実施例について説明する。なお、給紙制御の第２実施例のステップＳ２０１〜Ｓ２０４は、給紙制御の第１実施例のステップＳ１０１〜Ｓ１０４と同様であるため、説明を省略する。
【００５８】
ステップＳ２０４の判定がＹｅｓの場合（ステップＳ２０１において画像形成装置２の入力部１１に印字指示が入力された場合）には、制御部４１は、給紙設定部４２の設定に関わらず、第２給紙ユニット２５に手差しトレイ７からの給紙を実行させる（ステップＳ２０５）。これにより、給紙制御の第２実施例が終了する。
【００５９】
一方で、ステップＳ２０４の判定がＮｏの場合（ステップＳ２０１において端末装置３の入力機器３６に印字指示が入力された場合）には、制御部４１は、給紙設定部４２が給紙カセット６を給紙元に設定しているか否かを判定する（ステップＳ２０６）。
【００６０】
ステップＳ２０６の判定がＹｅｓの場合（給紙設定部４２が給紙カセット６を給紙元に設定している場合）には、制御部４１は、第１給紙ユニット２０に給紙カセット６からの給紙を実行させる（ステップＳ２０３）。これにより、給紙制御の第２実施例が終了する。
【００６１】
一方で、ステップＳ２０６の判定がＮｏの場合（給紙設定部４２が手差しトレイ７を給紙元に設定している場合）には、制御部４１は、第２給紙ユニット２５に手差しトレイ７からの給紙を実行させる（ステップＳ２０５）。これにより、給紙制御の第２実施例が終了する。
【００６２】
＜給紙制御の第３実施例＞
次に、図７を参照して、給紙制御の第３実施例について説明する。なお、給紙制御の第３実施例のステップＳ３０６、Ｓ３０７は、給紙制御の第１実施例のステップＳ１０４、Ｓ１０５と同様であるため、説明を省略する。
【００６３】
画像形成装置２の入力部１１又は端末装置３の入力機器３６に印字指示が入力されると（ステップＳ３０１）、制御部４１は、手差しトレイ７が開放されていることを開閉センサー８が検知しているか否かを判定する（ステップＳ３０２）。
【００６４】
ステップＳ３０２の判定がＮｏの場合（手差しトレイ７が閉止されていることを開閉センサー８が検知している場合）には、制御部４１は、給紙設定部４２が給紙カセット６を給紙元に設定しているか否かを判定する（ステップＳ３０３）。
【００６５】
ステップＳ３０３の判定がＹｅｓの場合（給紙設定部４２が給紙カセット６を給紙元に設定している場合）には、制御部４１は、第１給紙ユニット２０に給紙カセット６からの給紙を実行させる（ステップＳ３０４）。これにより、給紙制御の第３実施例が終了する。
【００６６】
一方で、ステップＳ３０３の判定がＮｏの場合（給紙設定部４２が手差しトレイ７を給紙元に設定している場合）には、制御部４１は、第１、第２給紙ユニット２０、２５に給紙を実行させない（ステップＳ３０５）。これにより、給紙制御の第３実施例が終了する。
【００６７】
以上のように、給紙制御の第１〜第３実施例では、手差しトレイ７が開放されていることを開閉センサー８が検知し、且つ、画像形成装置２の入力部１１に印字指示が入力された場合に、給紙設定部４２の設定に関わらず、手差しトレイ７から給紙している。このような構成を採用することで、ユーザーが手差しトレイ７から給紙するつもりで手差しトレイ７を開放したにも関わらず、給紙カセット６が給紙元に設定されたままの状態でユーザーが画像形成装置２の入力部１１に印字指示を入力しても、ユーザーの希望通りに手差しトレイ７から給紙することができる。そのため、ユーザーの希望する給紙元と異なる給紙元からの給紙を抑制し、印字処理を適切に実行することができる。
【００６８】
また、給紙制御の第１、第３実施例では、手差しトレイ７が開放されていることを開閉センサー８が検知し、且つ、端末装置３の入力機器３６に印字指示が入力された場合に、給紙設定部４２の設定に関わらず、給紙カセット６から給紙している。このような構成を採用することで、ユーザーが端末装置３の入力機器３６に印字指示を入力する場合に、手差しトレイ７を閉止することなく、給紙カセット６から給紙することができる。そのため、ユーザーが手差しトレイ７を閉止するために端末装置３から画像形成装置２まで移動する必要がなくなり、端末装置３が画像形成装置２から離れた場所に設置されている場合でも、容易に印字処理を実行することができる。
【００６９】
一方で、給紙制御の第２実施例では、手差しトレイ７が開放されていることを開閉センサー８が検知し、且つ、端末装置３の入力機器３６に印字指示が入力された場合に、給紙設定部４２の設定に応じて、給紙カセット６又は手差しトレイ７から給紙している。このような構成を採用することで、ユーザーが端末装置３の入力機器３６に印字指示を入力する場合に、給紙元の選択の幅を広げることができる。
【００７０】
また、給紙制御の第１、第２実施例では、手差しトレイ７が閉止されていることを開閉センサー８が検知した場合に、給紙設定部４２の設定に関わらず、給紙カセット６から給紙している。このような構成を採用することで、手差しトレイ７が閉止されている場合（つまり、手差しトレイ７から給紙できない場合）に、給紙設定部４２の設定に関わらず、速やかに給紙カセット６から給紙することができる。
【００７１】
一方で、給紙制御の第３実施例では、手差しトレイ７が閉止されていることを開閉センサー８が検知し、且つ、給紙設定部４２が給紙カセット６を給紙元に設定している場合に、給紙カセット６から給紙し、手差しトレイ７が閉止されていることを開閉センサー８が検知し、且つ、給紙設定部４２が手差しトレイ７を給紙元に設定している場合に、給紙を実行しない。このような構成を採用することで、給紙設定部４２の設定に応じて、給紙の可否を適切に決定することができる。
【００７２】
ところで、前述のように、給紙制御の第１〜第３実施例では、手差しトレイ７が開放されていることを開閉センサー８が検知し、且つ、画像形成装置２の入力部１１に印字指示が入力された場合に、給紙設定部４２の設定に関わらず、手差しトレイ７から給紙している。このような構成を採用すると、手差しトレイ７が開放されていることをユーザーが忘れてしまっている場合等に、ユーザーが給紙カセット６からの給紙を希望しているにも関わらず、手差しトレイ７から給紙してしまう恐れがある。
【００７３】
そこで、本実施形態では、図８に示されるように、手差しトレイ７が開放されていることを開閉センサー８が検知した場合に、手差しトレイ７が開放されていることを通知する通知画面を画像形成装置２の表示部１２が表示している。このような構成を採用することで、手差しトレイ７が開放されていることをユーザーに気付かせることができる。そのため、ユーザーが給紙カセット６からの給紙を希望しているにも関わらず、手差しトレイ７から給紙してしまうのを抑制することができる。
【００７４】
また、図８に示されるように、表示部１２は、上記の通知画面において、給紙カセット６から給紙する場合には手差しトレイ７を閉止するようにユーザーに促している。このような構成を採用することで、ユーザーが給紙カセット６からの給紙を希望しているにも関わらず、手差しトレイ７から給紙してしまうのを一層確実に抑制することができる。
【００７５】
本実施形態では、画像形成装置２に給紙カセット６と手差しトレイ７が１個ずつ設けられている。一方で、他の異なる実施形態では、画像形成装置２に給紙カセット６及び／又は手差しトレイ７が複数個設けられていても良い。
【００７６】
本実施形態では、開閉センサー８が接触式のセンサーである。一方で、他の異なる実施形態では、開閉センサー８が非接触式のセンサーであっても良い。
【００７７】
本実施形態では、端末装置３がパーソナルコンピューターである。一方で、他の異なる実施形態では、端末装置３がスマートフォン等のパーソナルコンピューター以外の機器であっても良い。
【００７８】
本実施形態では、画像形成装置２がカラープリンターである。一方で、他の異なる実施形態では、画像形成装置２がモノクロプリンター、コピー機、ファクシミリ、複合機（プリント機能、コピー機能及びファックス機能等を複合的に備えた機器）等であっても良い。
【００７９】
本実施形態では、画像形成装置２が電子写真方式を採用している。一方で、他の異なる実施形態では、画像形成装置２がインクジェット方式を採用していても良い。
【符号の説明】
【００８０】
１    画像形成システム
２    画像形成装置
３    端末装置
５    装置本体
６    給紙カセット
７    手差しトレイ
８    開閉センサー（開閉検知部の一例）
１１    入力部
１２    表示部
３６    入力機器
４２    給紙設定部
Ｎ    ネットワーク
【図１】
2020175571.tif 000003
【図２】
2020175571.tif 000004
【図３】
2020175571.tif 000005
【図４】
2020175571.tif 000006
【図５】
2020175571.tif 000007
【図６】
2020175571.tif 000008
【図７】
2020175571.tif 000009
【図８】
2020175571.tif 000010